(57)【要約】【課題】脳卒中患者等のロボット療法における患者の運動回復能力を積極的に引き出して機能獲得を促進する歩行訓練を可能にする。【解決手段】歩行訓練装置１は、対象者を股下部で支持するサドル１３を備え、対象者の体重の一部を免荷するシーソー型機構を採用した体重免荷部１０と、前記サドル１３の下方に位置し、対象者が歩行する床面を有するトレッドミル２０と、遊脚期の開始タイミングで対象者の足関節底屈筋へ電気刺激を行う電気刺激部５０とを備えたものである。【選択図】図４
2018139975.tif 000002
【特許請求の範囲】
【請求項１】
対象者を股下部で支持するサドルを備え、前記対象者の体重の一部を免荷する体重免荷部と、
前記サドルの下方に位置し、対象者が歩行する床面を有する床部と、
対象者の足関節底屈筋への電気刺激を行う電気刺激部とを備えたことを特徴とする歩行訓練装置。
【請求項２】
前記電気刺激部は、対象者の足関節底屈筋の表面に貼着される電極と、
前記電極に刺激信号を印加する刺激信号生成部と、
前記刺激信号の印加を指示する指示部とを備えた請求項１に記載の歩行訓練装置。
【請求項３】
対象者の下肢における各筋の筋電位及び前記対象者の下肢の各関節の動きを検出する検出部と、
前記検出部による検出結果から下肢先端の運動制御に関わる特徴量を算出する演算部とを備えた請求項１又は２に記載の歩行訓練装置。
【請求項４】
前記検出部は、前記筋活動として筋電位を測定する筋電位検出部と、前記下肢運動として関節の動きを検出する運動検出部とを備え、
前記演算部は、前記筋電位検出部の検出結果及び前記運動検出部の検出結果から、筋シナジー、剛性及び平衡点の少なくとも１つを前記特徴量として算出する請求項３に記載の歩行訓練装置。
【請求項５】
前記床部は、互いに平行に配置された、水平に軸支された回転体の間に周回可能に掛け渡され、上面側が前記床面を構成する無端ベルトと、
前記床面への前記対象者の足裏の踏み出し位置及び床反力を検出する荷重検出部とを備えた請求項１〜４のいずれかに記載の歩行訓練装置。
【請求項６】
前記床部の床面に訓練映像を投影する映像投影部と、
前記床面への前記対象者の足裏の踏み出し位置及び床反力を検出する荷重検出部と、
前記訓練映像の床面上の表示位置と、前記運動検出部及び前記荷重検出部の一方で検出された前記踏み出し位置とから訓練の評価を行う訓練評価部とを備えた請求項４に記載の歩行訓練装置。
【請求項７】
前記体重免荷部は、基台と、基台に軸支され、垂直面内で支軸周りに揺動するアームと、錘とを備え、
前記サドルは、前記アームの先端に取り付けられ、前記錘は、前記アームの基端側に垂設されることを特徴とする請求項１〜６のいずれかに記載の歩行訓練装置。
【請求項８】
前記錘を前記アームに垂設させる錘係合部を備え、
前記錘は、前記基台に複数個積層配置されてなり、
前記錘係合部は、上方側から任意の複数個の錘を前記アームの基端に係合させる請求項７に記載の歩行訓練装置。
【請求項９】
対象者を股下部で支持するサドルを備え、前記対象者の体重の一部を免荷する体重免荷部と、
前記サドルの下方に位置し、対象者が歩行する床面を有する床部と、
対象者の下肢における各筋の筋電位及び前記対象者の下肢の各関節の動きを検出する検出部と、
前記検出部による検出結果から運動診断情報を演算する演算部とを備え、
前記検出部は、前記筋活動として筋電位を測定する筋電位検出部と、前記下肢運動として関節の動きを検出する運動検出部とを備え、
前記演算部は、前記筋電位検出部の検出結果及び前記運動検出部の検出結果から、下肢先端の運動制御に関わる特徴量である筋シナジー、剛性及び平衡点の少なくとも１つを特徴量として算出する歩行診断装置。
【請求項１０】
対象者を股下部で支持するサドルを備え、前記対象者の体重の一部を免荷する、歩行訓練装置の体重免荷装置において、
基台と、基台に軸支され、垂直面内で揺動するアームと、錘と、前記錘を前記アームに垂設させる錘係合部とを備え、
前記サドルは、前記アームの先端に取り付けられ、
前記錘は、前記基台に複数個積層配置されてなり、
前記錘係合部は、上方側から任意の複数個の錘を前記アームの基端に係合させる体重免荷装置。
【請求項１１】
床部の床面上で体重免荷部のサドルによって対象者を股下部で支持して体重の一部を免荷した状態で、前記床部の床面を前記サドルで指示された対象者の前方から後方方向に向けて移動させつつ、前記対象者の足関節底屈筋へ電気刺激を行うことを特徴とする歩行訓練方法。
【請求項１２】
対象者を股下部で支持するサドルを備え、前記対象者の体重の一部を免荷する体重免荷部と、
前記サドルの下方に位置し、対象者が歩行する床面を有する床部と、
対象者の下肢における各筋の筋電位及び前記対象者の下肢の各関節の動きを検出する検出部と、
前記検出部による検出結果から運動診断情報を演算する演算部とを備え、
前記検出部は、前記筋活動として筋電位を測定すると共に、前記下肢運動として関節の動きを検出し、
前記演算部は、前記筋電位の検出結果、及び前記下肢運動として関節の動きの検出結果から、下肢先端の運動制御に関わる特徴量である筋シナジー、平衡点及び剛性の少なくとも１つを特徴量として算出する歩行診断方法。
【発明の詳細な説明】
【技術分野】
【０００１】
本発明は、歩行能力の回復を支援する歩行訓練装置、歩行診断装置、体重免荷装置、歩行訓練方法、及び歩行診断方法に関する。
【背景技術】
【０００２】
近年、脳卒中患者や脊髄損傷患者の歩行能力の回復を目的として、下肢のロボット療法による種々の歩行訓練装置が提案されている。そのうち特に、体重の一部を免荷しながらトレッドミル上で歩行訓練を行うBody-weight-supported treadmilltraining (BWSTT)に注目が集まっている（特許文献１、非特許文献１）。
【０００３】
ところで、今日、人口の高齢化が急激に進む中、人々の健康増進を支援する科学や技術に多くの期待が寄せられている。適切な支援には正しい理論とそれを裏付ける科学的根拠が必要である。力学的に極めて冗長で多自由度の身体運動システムの制御において、中枢神経系がどのように自由度を操作し、筋活動パターンを決定しているのか、また、その制御規範はどのようなものかは運動制御領域における古典的な未解決問題である。本発明者らは、筋対群の共活性に基づく身体協調性に注目することでヒト随意運動の解析を行ってきた。より具体的には、本発明者らは、これまで、運動解析装置、運動解析方法及び運動解析プログラムとして、筋電位情報から身体運動の協調性を抽出し、身体適所、例えば上肢先端の運動制御に関わる特徴量（筋シナジー、平衡点、インピーダンス（剛性楕円））を推定する運動解析技術を発明し、ヒト随意運動の運動生成機序の解明やロボットによるヒトの運動支援に貢献してきた（特許文献２、非特許文献２）。これらの技術は、正しい介入と誤った介入とを適切に見極めながら効果的な介入を探索し、有意な手法を確立するのに極めて有用なツールである。
【先行技術文献】
【特許文献】
【０００４】
【特許文献１】ＵＳ８６８４８９０  Ｂ２, Apr.16, 2010.（出願日）
【特許文献２】特開２０１５−１１２４５３公報
【非特許文献】
【０００５】
【非特許文献１】T. Susko, K. Swaminathan, and H. I. Krebs, “MIT-Skywalker: A Novel Gait Neurorehabilitation Robot for Strokeand Cerebral Palsy,” IEEE Transactions on NeuralSystems and Rehabilitation Engineering, vol. 24, no.10, pp. 1089-1099, 2016.
【非特許文献２】H. Hirai, F. Miyazaki, H.Naritomi, K. Koba, T. Oku, K. Uno, M. Uemura, T. Nishi, M. Kageyama and H. I.Krebs, “ On the Origin of Muscle Synergies: InvariantBalance in the Co-activation of Agonist and Antagonist Muscle Pairs,” Frontiers in Bioengineering and Biotechnology, vol.3, no.192,pp. 1-16, 2015.
【発明の開示】
【発明が解決しようとする課題】
【０００６】
しかしながら、現在の下肢のロボット療法は、良好な訓練効果（バランス機能や運動機能の回復、歩行速度、耐久性、対称性の改善等）を示唆する報告があるものの、エンドエフェクタ型および外骨格型のいずれの形式においても、通常のマニュアル治療以上の治療効果は明らかにされておらず、効果的な介入法を探索し、科学的根拠を蓄積することが求められている。
【０００７】
本発明は、上記に鑑みてなされたもので、前記した新しい運動解析技術を、脳卒中患者等のロボット療法（現在、黎明期である下肢のロボット療法）へ展開し、障害後の運動学習機序の解明へ向けた歩行運動の診断装置、及び患者の運動回復能力を積極的に引き出して機能獲得を促進する歩行訓練装置、及びそれに用いる体重免荷装置を提供することを目的とする。
【課題を解決するための手段】
【０００８】
本発明は、介入として床面とエンドエフェクタ（足部）の相互作用を操作する体重免荷とエンドエフェクタに隣接した足関節へ作用する機能的電気刺激とを組み合わせた歩行訓練装置を提案する。すなわち、本発明に係る歩行訓練装置は、対象者を股下部で支持するサドルを備え、前記対象者の体重の一部を免荷する体重免荷部と、前記サドルの下方に位置し、対象者が歩行する床面を有する床部と、対象者の足関節底屈筋への電気刺激を行う電気刺激部とを備えたことを特徴とするものである。
【０００９】
また、本発明に係る歩行訓練方法は、床部の床面上で体重免荷部のサドルによって対象者を股下部で支持して体重の一部を免荷した状態で、前記床部の床面を前記サドルで指示された対象者の前方から後方方向に向けて移動させつつ、前記対象者の足関節底屈筋へ電気刺激を行うことを特徴とするものである。
【００１０】
ヒトの歩行では股、膝、足関節の正仕事は、股関節と足関節とで８０％以上を占めるとされている（（D. J. Farris and G. S. Sawicki,“Themechanics and energetics of human walking and running: a joint levelperspective,” Journal of the RoyalSociety Interface, vol. 9, no. 66, pp. 110-118, 2012））。特に、股関節伸展と足関節のPush-off （蹴り出し）時に大きな仕事を行うことが知られている。本発明によれば、第１の介入となる体重免荷部と歩行する床面を有する床部との組み合わせによって、バランス制御と股関節伸展の機能が図れ、さらに第２の介入となる足関節底屈筋への電気刺激によって、足関節によるPush-offの機能の支援及び訓練が図れる。なお、床面は水平面に限らず、傾斜面に設定してもよく、これによって傾斜歩行の訓練にも対応可能となる。
【００１１】
また、前記電気刺激部は、対象者の足関節底屈筋の表面に貼着される電極と、前記電極に刺激信号を印加する刺激信号生成部と、前記刺激信号の印加を指示する指示部とを備えたものである。この構成によれば、指示部からの指示に応じて、対象者の足関節底屈筋の表面に刺激信号が印加されるので、足関節によるPush-offの機能が実行される。なお、指示部からの指示は、対象者自身が行ってもよいし、訓練対象となる脚が遊脚期の開始タイミングであることを検出し、この検出結果に従って自動的に指示する態様でもよい。
【００１２】
また、本発明は、対象者の下肢における各筋の筋電位及び前記対象者の下肢の各関節の動きを検出する検出部と、前記検出部による検出結果から下肢先端の運動制御に関わる特徴量を算出する演算部とを備えたものである。この構成によれば、対象者の下肢の各筋の筋電位及び前記対象者の下肢の各関節の動きを検出することで、歩行診断のための特徴量が得られ、効率的な歩行訓練に供される。
【００１３】
また、前記検出部は、前記筋活動として筋電位を測定する筋電位検出部と、前記下肢運動として関節の動きを検出する運動検出部とを備え、前記演算部は、前記筋電位検出部の検出結果及び前記運動検出部の検出結果から、筋シナジー、平衡点及び剛性の少なくとも１つを前記特徴量として算出するものである。この構成によれば、歩行診断の判断に有効な特徴量として、足関節の並進運動に関わる筋シナジー、平衡点及び剛性楕円、また足関節の回転運動に関わる平衡点及び剛性の少なくとも１つが算出される。従って、かかる特徴量を参照することで、歩行時の情報から下肢の回復状況を判断することが可能となる。
【００１４】
また、前記床部は、互いに平行に配置された、水平に軸支された回転体の間に周回可能に掛け渡され、上面側が前記床面を構成する無端ベルトと、前記床面への前記対象者の足裏の踏み出し位置及び床反力を検出する荷重検出部とを備えたものである。この構成によれば、対象者は体重免荷部に体重の一部を免荷した状態で、相対的な歩行が実現される。また、踏み出し位置及び床反力を歩行状況の情報として得ることができ、診断情報やその他の目的（訓練を兼ねるゲームなど）に利用することが可能となる。
【００１５】
また、本発明は、前記床部の床面に訓練映像を投影する映像投影部と、前記床面への前記対象者の足裏の踏み出し位置及び床反力を検出する荷重検出部と、前記訓練映像の床面上の表示位置と、前記運動検出部及び前記荷重検出部の一方で検出された前記踏み出し位置とから訓練の評価を行う訓練評価部とを備えたものである。この構成によれば、歩行する床面に訓練映像を投影し、訓練映像との相関（一致度など）によって評価を行うようにしたので、ゲーム感覚が煽られて訓練効率の向上が期待される。
【００１６】
また、前記体重免荷部は、基台と、基台に軸支され、垂直面内で支軸周りに揺動するアームと、錘とを備え、前記サドルは、前記アームの先端に取り付けられ、前記錘は、前記アームの基端側に垂設されることを特徴とする。この構成によれば、いわゆるシーソー型機構を採用して、カウンターウェイトすることで、簡易な構成でサドルに跨る対象者の体重の一部とバランスさせることが可能となる。
【００１７】
また、本発明は、前記錘を前記アームに垂設させる錘係合部を備え、前記錘は、前記基台に複数個積層配置されてなり、前記錘係合部は、上方側から任意の複数個の錘を前記アームの基端に係合させるものである。この構成によれば、シーソー型機構においてカウンターウェイト用の錘の設定が容易に行われる。
【００１８】
また、本発明に係る歩行診断装置は、対象者を股下部で支持するサドルを備え、前記対象者の体重の一部を免荷する体重免荷部と、前記サドルの下方に位置し、対象者が歩行する床面を有する床部と、対象者の下肢における各筋の筋電位及び前記対象者の下肢の各関節の動きを検出する検出部と、前記検出部による検出結果から運動診断情報を演算する演算部とを備え、前記検出部は、前記筋活動として筋電位を測定する筋電位検出部と、前記下肢運動として関節の動きを検出する運動検出部とを備え、前記演算部は、前記筋電位検出部の検出結果及び前記運動検出部の検出結果から、下肢先端の運動制御に関わる特徴量である筋シナジー、平衡点及び剛性の少なくとも１つを特徴量として算出するものである。
【００１９】
また、本発明に係る歩行診断方法は、対象者を股下部で支持するサドルを備え、前記対象者の体重の一部を免荷する体重免荷部と、前記サドルの下方に位置し、対象者が歩行する床面を有する床部と、対象者の下肢における各筋の筋電位及び前記対象者の下肢の各関節の動きを検出する検出部と、前記検出部による検出結果から運動診断情報を演算する演算部とを備え、前記検出部は、前記筋活動として筋電位を測定すると共に、前記下肢運動として関節の動きを検出し、前記演算部は、前記筋電位の検出結果、及び前記下肢運動として関節の動きの検出結果から、下肢先端の運動制御に関わる特徴量である筋シナジー、平衡点及び剛性の少なくとも１つを特徴量として算出するものである。
【００２０】
これらの発明に係る歩行訓練の効果は、下肢先端の運動制御に関わる特徴量である筋シナジー、平衡点、剛性（並進運動、回転運動双方を含めてもよい。）の少なくとも１つに基づき定量評価され、患者や療法士にフィードバックされる。
【００２１】
本発明では、脳卒中等のリハビリテーションを、身体協調に基づく中枢神経系の機能回復と捉え、患者の身体協調の再獲得と保持を促進する歩行再建のためのロボット訓練を行う。特に、（１）発明者らのこれまでの研究（特許文献２、非特許文献２他）によって明らかにされた一連の筋シナジー技術を用いて患者の身体協調を診断し、（２）その診断結果に基づき、運動改善を促す数種のロボット訓練を行う点を特徴とする。身体を協調させる技能は、脳卒中患者に失われがちな滑らかな運動（平衡点・剛性（インピーダンス）の調整）の実現に不可欠であり、その獲得は患者の劇的な運動能力の向上に繋がる。
【００２２】
また、本発明に係る体重免荷装置は、対象者を股下部で支持するサドルを備え、前記対象者の体重の一部を免荷する、歩行訓練装置の体重免荷装置において、基台と、基台に軸支され、垂直面内で揺動するアームと、錘と、前記錘を前記アームに垂設させる錘係合部とを備え、前記サドルは、前記アームの先端に取り付けられ、前記錘は、前記基台に複数個積層配置されてなり、前記錘係合部は、上方側から任意の複数個の錘を前記アームの基端に係合させるものである。本発明によれば、いわゆるシーソー型機構を採用して、カウンターウェイトすることで、簡易な構成でサドルに跨る対象者の体重の一部とバランスさせることが可能となる。また、カウンターウェイト用の錘の設定が容易となる。
【発明の効果】
【００２３】
本発明によれば、新たな運動解析技術を、脳卒中患者等のロボット療法（現在、黎明期である下肢のロボット療法）へ展開し、障害後の運動学習機序の解明へ向けた歩行運動の診断、患者の運動回復能力を積極的に引き出して機能獲得を促進する歩行訓練を可能にする。
【図面の簡単な説明】
【００２４】
【図１】本発明に係る歩行訓練装置の一実施形態を示す全体概要図で、（ａ）は後方斜めから見た外観概要図、（ｂ）、（ｃ）は床部の床面に投影された訓練映像の各例を示す平面図である。
【図２】図１に示す歩行訓練装置の全体概要図で、（ａ）は前方斜めから見た外観概要図、（ｂ）は床部の側面概要図、（ｃ）は床部の平面図である。
【図３】サドルの外観図で、（ａ）は構造を説明する斜視図、（ｂ）はヨーイングを説明する平面視の概略図である。
【図４】歩行訓練装置の一実施形態を示す機能構成図である。
【図５】下肢に取り付ける部材の説明図で、（ａ）は被験筋、（ｂ）はマーカ、検出電極、及び刺激電極の取り付け位置の一例を示す図である。
【図６】下肢の筋骨格モデルで採用する座標系（股関節角θｈ、膝関節角θｋ、足関節角θａ、動径Ｒ、偏角Φ）を示す図である。
【図７】制御部が実行する歩行訓練における歩行解析処理を示すフローチャートである。
【図８】運動解析結果をリアルタイムでモニタに表示する表示例を示す図で、（ａ）は筋シナジーの表示例、（ｂ）は歩行相における足関節の並進運動に関わる剛性楕円および平衡点の表示例、（ｃ）は足関節の回転運動に関わる剛性の表示例である。
【図９】免荷方式の違い及び電気刺激の有無の違いによる歩容の変化を示す図である。
【図１０】免荷方式の違いによる、１歩行における垂直踏力、足関節角度の測定結果を示す図である。
【図１１】実験２の実験条件一覧を示す図表である。
【図１２】ハーネス支持型体重免荷装置とサドル支持型体重免荷装置の免荷量に応じた、快適と感じる歩行速度の変化を示す図表である。
【図１３】免荷方式の違いによる被験者Ａの１歩行分（横軸０―１００％）の歩行相（ａ）、および股（ｂ）、膝（ｃ）、足関節（ｄ）の各関節角度変化を示す図である。
【図１４】免荷方式の違いによる被験者Ａの１歩行分における床反力の垂直成分（ａ）、前後剪断成分（ｂ）、左右剪断成分（ｃ）を示す図である。
【図１５】非体重免荷歩行での歩行速度の違いによる被験者Ａの１歩行分における床反力の垂直成分（ａ）、前後剪断成分（ｂ）、左右剪断成分（ｃ）を示す図である。
【図１６】サドル支持型体重免荷歩行（中程度の体重免荷）での歩行速度による被験者Ａの１歩行分における股（ａ）、膝（ｂ）、足関節（ｃ）の各関節角度変化を示す図である。
【図１７】サドル支持型体重免荷歩行（中程度の体重免荷）での歩行速度による被験者Ａの１歩行分における床反力の垂直成分（ａ）、前後剪断成分（ｂ）、左右剪断成分（ｃ）の変化を示す図である。
【図１８】サドル支持型体重免荷歩行での免荷量による被験者Ａの１歩行分における股（ａ）、膝（ｂ）、足関節（ｃ）の各関節角度変化を示す図である。
【図１９】サドル支持型体重免荷歩行における免荷量による被験者Ａの１歩行分における床反力の垂直成分（ａ）、前後剪断成分（ｂ）、左右剪断成分（ｃ）を示す図である。
【図２０】ハーネス支持型およびサドル支持型体重免荷歩行（中程度の体重免荷）と非体重免荷歩行、およびＦＥＳ介入の有無による被験者Ａ，Ｂ，Ｃの１歩行分における床反力の垂直成分（ａ）、前後剪断成分（ｂ）、左右剪断成分（ｃ）を示す図である。
【発明を実施するための形態】
【００２５】
図１は、本発明に係る歩行訓練装置１の一実施形態を示す全体概要図で、図２は、その一部を示す外観概要図である。図３は、サドルの外観図である。図４は、歩行訓練装置１の一実施形態を示す機能構成図である。
【００２６】
本発明に係る歩行訓練装置１は、例えば脳卒中患者や脊髄損傷患者（以下、対象者という）の歩行能力の回復を目的とする下肢のロボット療法用の装置である。歩行訓練装置１は、対象者の体重の一部を免荷する体重免荷部１０と、対象者が歩行する床部の一例であるトレッドミル２０と、動き検出部３０と、筋電位検出部４０と、足関節に作用する筋に電気刺激を与える電気刺激部５０と、制御部６０（図４参照）と、対象者を撮像し、表示する運動観察部７０と、脚の動きを誘導するようなゲーム等を訓練映像の表示を行うと共に、必用に応じてその訓練結果を評価する訓練処理部８０とを備える。
【００２７】
体重免荷部１０は、本実施形態では、カウンターウェイトとシーソー型機構によって対象者の股下部に作用する「サドル支持型体重免荷装置」（（長川祐磨、吉川史哲、 平井宏明、 黒岩晃、 渡邉英知、 植村充典、 宮崎文夫、“サドル支持型体重免荷トレッドミル歩行の運動解析：下肢の平衡点軌道、足先剛性の可視化”、第１０回モーターコントロール研究会抄録、A36,2016.）、及び（吉川史哲、長川祐磨、 平井宏明、 黒岩晃、 渡邉英知、 植村充典、 宮崎文夫、“体重免荷方式の違いが歩行に与える影響：吊り上げ型とサドル支持型の比較”、第１０ 回モーターコントロール研究会抄録、A37,2016.）参照）を採用している。
【００２８】
より具体的には、体重免荷部１０は、図１（ａ）、図２（ａ）に示すように、床に設置される基台１１と、基台１１の上部で左右方向（図１（ａ）、矢印Ｘ−Ｘ方向）に平行な水平軸１２１に軸支されて垂直面内で揺動可能なアーム１２と、アーム１２の先端に取り付けられたサドル１３と、アーム１２の基端から垂設された錘係合部１４と、アーム１２の基端に対応して立設されたフレーム部１５と、フレーム部１５の下部に積層載置された複数個の錘１６とを備える。アーム１２の基端から先端に向かう方向が前方方向となる。
【００２９】
フレーム部１５は、互いに平行な一対の立直ステー１５１を有する。錘１６は、本実施形態では平板状をなし、板厚方向に錘係合部１４が挿入される挿通孔、また立直ステー１５１を遊嵌する一対の孔が穿設されている。錘１６は、かかる立直ステー１５１に沿って昇降可能にされ、かつ錘係合部１４に係合されることでアーム１２の揺動に応じて昇降されることになる。
【００３０】
錘係合部１４と錘１６との係合構造は、種々の形態が採用可能であるが、本実施形態では以下の形態を採用している。すなわち、錘係合部１４は、所定長を有する変形可能な紐状物、例えば鎖部１４１とその下部の棒状体１４２とが連結して構成されている、棒状体１４２は、長さ方向に長孔（図示せず）が穿設されている。長孔にはピン１４３が嵌挿される。各錘１６には横方向からピン１４３が差し込み可能なように、例えば下面側に横溝１６１などが形成されている。ピン１４３は横溝に沿って挿入されて長孔に嵌挿される。ピン１４３が差し込まれた錘１６を含む上部の錘１６がピン１４３によって持ち上げられることでカウンターウェイトとされる。カウンターウェイトされる錘１６の個数を調整することで、シーソー型機構を介してサドル１３を跨いだ対象者に対する免荷量が調整される。なお、錘係合部の他の例としては、底板を備え、その上部に錘を１枚ずつ積層する形態でもよいし、予め準備された各カウンターウェイトを交換使用するものでもよい。あるいは、より単純に、アーム１２の後端側に錘を懸架し、アーム１２の長手方向にスライドさせることで、ウェイトバランスを取る態様でもよい。
【００３１】
サドル１３は、図２、図３に示すように、座席形状を有するサドル本体１３Ａと、必要に応じて設けられる、サドル本体１３Ａを覆う弾性材からなる表皮１３Ｂとを備える。サドル１３は、アーム１２の先端の取付具１２２に設けられた前後方向に平行な水平軸１３１と、水平軸１３１を介して取り付けられた垂直軸１３２とを備え、サドル本体１３Ａは垂直軸１３２を介して取り付けられている。この構成により、サドル１３は、それぞれ所定の角度範囲内で、図３（ａ）に矢印Ｒｏｌｌで示すように水平軸１３１周りにローリングし、かつ図３（ｂ）に矢印Ｙａｗで示すように垂直軸１３２周りにヨーイングする。サドル１３がローリング及びヨーイングすることで、より自然な歩行動作を対象者に提供することが可能となる。
【００３２】
トレッドミル２０は、本実施形態では床反力計を内蔵したスプリットベルトトレッドミル（ITR5018，Bertec Corp., USA）を採用する。より具体的には、トレッドミル２０は、直方体形状をなす基台２１を備える。基台２１の前後方向には、図２（ｂ）、（ｃ）に示すように、互いに平行で水平な回転軸を有する一対のローラ２２と、一対のローラ２２間に張設されたベルト２３と、一方のローラ２２に、例えばベルト等の駆動力伝達構造２４１を介して連結されるモータ等の駆動部２４とを備える。駆動部２４を駆動させることで、図２（ａ）（ｂ）に矢印で示す方向に、ベルト２３が周回動作を行う。ベルト２３の周回動作の条件は、設定部２４０（図４参照）によって適宜に設定される。対象者は、図２（ｂ）に示すように、周回動作中の、あるいは歩行に合わせて間欠的に動作されるベルト２３上を歩行する。ベルト２３の上面は歩行面を構成し、本実施形態では水平にされている。
【００３３】
荷重検出部２５は、センサ本体部２５１と床反力演算部２５２を備える。センサ本体部２５１は、前後のローラ２２の間、かつベルト２３の周回内側の上部に近接して配置されている（図２（ｂ）参照）。センサ本体部２５１は、図２（ｂ）、（ｃ）に示すように、直方体形状のフォースプレート２５１１と、複数の所定位置、例えばフォースプレート２５１１の４隅に配置される荷重センサ（機械―電気変換素子であるロードセル）２５１２とを備え、フォースプレート２５１１上にかかる荷重に対応して、歪みゲージの抵抗値の変化を、各荷重センサ２５１２で電流値の変化として検出することで、床反力の３方向分力（Ｆｘ，Ｆｙ，Ｆｚ）として計測する。さらに、床反力演算部２５２によって床反力の作用点（COP：Centerof Pressure）を演算で求める。従って、サドル１３に股下部を作用させて体重の一部が免荷された対象者の足裏踏力の床反力及びその重心位置が、ベルト２３を介して荷重検出部２５で得られる。
【００３４】
なお、荷重検出部２５は、スプリットベルトトレッドミル型の場合、各ベルト２３に対応して配設されてもよい。この構造では、対象者の歩行訓練を各脚の回復程度などに合った方法、例えば左右ベルトで異なる周回速度で行うことが可能となる。また、荷重検出部２５は、少なくとも床反力の作用点を得ることができる態様でもよい。さらに、他の感圧部材を採用して荷重位置を計測する方法でもよい。なお、トレッドミル２０は、スプリットベルトトレッドミル型でなくてもよい。
【００３５】
このようにトレッドミル２０と体重免荷部１０とを組み合わせることで、体重による重力の影響を軽減しながら、対象者のエンドエフェクタ（足）へ介入し、バランス制御と股関節伸展とを好適に支援しつつ訓練することができる。
【００３６】
運動解析の対象部位となる下肢の被験筋は、図５（ａ）に示すように、本実施例では、足関節位置の並進に関する下肢３対６筋に、足関節の回転に関する足関節周りの１対２筋を加えた４対８筋の筋骨格系としてモデル化したものである。
【００３７】
本実施形態では、動き検出部３０として、撮像手段であるカメラ３１を左右に配置したモーションキャプチャ等の光学トラッキングシステムを採用している。左右のカメラ３１は、対象者の下肢を左右側から撮像する。カメラ３１から観測可能な位置、本実施例では、図５（ｂ）に示すように、対象者の股関節、膝関節、足関節及び爪先の各側面の計４箇所には、マーカ３０１が貼着乃至は装着されている。マーカ３０１は、特定色、例えば遠赤外光を発する部材、あるいは発光素子を採用してもよい。カメラ３１は、各マーカ３０１をカメラ視野内で位置情報を表す輝点として撮像するものである。対象者の股関節及び足関節に対応するマーカ３０１は、後述する動径Ｒ情報、偏角Φ情報（図６参照）を計測するために使用される。なお、カメラ３１の台数は２台に限らず、例えば各マーカ３０１に対応して配置してもよい。
【００３８】
筋電位検出部４０は、図５（ｂ）に示すように、片足につき８個の筋の筋電位を検出する。対象者の下肢の皮膚上には、複数の電極４０１が貼着される。各電極４０１は、図５（ｂ）に示すように、８個の筋の各表面側に貼着されて、対応する筋に発生する筋電位を検出する。筋電位は、ＥＭＧ（筋活動を直接計測する筋電図：electromyography）計測で得られる。各電極４０１は筋電位検出回路４１と有線あるいは無線で接続されている。なお、無線で接続されている態様では、電極４０１は筋電位検出回路４１のアンテナ部と近接通信するアンテナ部を少なくとも備えている。
【００３９】
電気刺激部５０は、対象者の足関節に作用、具体的には遊脚開始時における足関節角度を底屈方向に変化させるための機能的電気刺激を行うものである。電気刺激部５０は、刺激信号生成部５１と刺激信号の出力を指示するスイッチ５２とを備える。刺激信号は、足関節によるPush-offを支援することを目的に、対象の随意的なキュー（スイッチ５２の押下）に基づき、足関節底屈筋群を電気刺激する。刺激信号は、例えば６０Ｈｚのパルス搬送波で、腓腹筋の外側頭へ例えば７ｍＡ、内側頭へ例えば８ｍＡのレベルで、例えば０．３５秒間の出力時間に設定されている。これにより、Push-offの増加と随意的運動の促通を導くことが期待できる。なお、スイッチ５２は対象者自身で押下する態様の他、荷重検出部２５からの荷重検出情報や動き検出部３０からの動き検出内容、または下記の運動観察部７０からの運動観察内容を利用して遊脚開始タイミングを自動認識してスイッチオンさせる態様としてもよい。
【００４０】
運動観察部７０は、トレッドミル２０の前方に、対象者の歩行動作を正面側から撮影するKinectセンサ（Kinect for Windows v2，Microsoft Corp., USA）７１を備え、さらに撮像した映像を表示するモニタ７１１を前方に備える。また、必要に応じて左右の撮像部７２，７３と、左右の映像を表示する左右のモニタ７２１，７３１とを備えてもよい。Kinectセンサ７１は、公知のように、撮影画像とレーザビームを併用して撮像された対象者の画像の３次元情報を得て、その結果をモニタ７１１に撮影映像と併記表示することで、歩行中における対象者の左右バランスに関する運動学情報を提示する。なお、Kinectセンサ７１に代えて、通常の撮像部であってもよい。
【００４１】
訓練処理部８０は、必要に応じて設けられるもので、対象者の歩行を支援する画像を生成し、表示する。訓練処理部８０は、訓練画像生成部８１と、生成された訓練画像をベルト２３上に投影するプロジェクタ８２とを備え、また、対象者が見やすいように、必要に応じてベルト２３の前方乃至は斜め前方に配置されたモニタ８３に訓練画像の表示を行う。なお、訓練画像生成部８１は、ベルト２３の移動速度と同期して訓練画像をベルト後方に移動するように生成され、あるいはベルト２３上の固定位置で表示される態様でもよい。
【００４２】
訓練処理部８０は、応答性判定部８４を備える。応答性判定部８４は、訓練画像と、駆動部２４からの周回動作情報及び床反力演算部２５２からの作用点の情報から、サドル１３に跨った状態の対象者が訓練画像に対して作用した結果の評価も行う。応答するまでの計時情報を評価項目に含めてもよい。また、訓練画像に対する作用の検出は、動き検出部３０で行ってもよい。
【００４３】
図１（ｂ）、（ｃ）は、プロジェクタ８２から投影されたベルト２３上の訓練画像の一例を示している。図１（ｂ）は、サドル１３の真下位置の少し前方側となるベルト２３面に所定形状の、例えば複数の円形映像８０１が配列表示され、その内の一つが識別可能に、例えば他と色違いの円形映像８０２で表示され、次の踏み位置を指示している。この状態で、床反力演算部２５２で得られた作用点が訓練画像の表示域と一致する度合いに応じて評価が高低設定され、離散運動（踏み出し）の訓練に用いられる。図１（ｃ）は、サドル１３の真下位置の少し前方側となるベルト２３面に、例えばバー映像８０３が左右に交互に表示され、手前側のバー映像８０３が次の踏み位置を指示している。この状態で、床反力演算部２５２で得られた作用点がバー映像８０３の表示域と一致するほど高い評価が生成され、周期運動の訓練に用いられる。評価はスコアが積算され、その積算値が、あるいは時間単位のスコアが算出され、表示に供される。ゲーム感覚を導入することで、訓練意欲の増進が図れる。
【００４４】
続いて、図４の機能構成部について説明する。制御部６０は、歩行訓練装置１の各部と接続されて、歩行訓練装置１の動作を統括して制御すると共に、筋シナジー情報を含む特徴点の算出、診断処理を行う。制御部６０は、ＣＰＵを有するマイクロコンピュータで構成されており、本発明に係る訓練動作、運動分析処理のための処理プログラムを記憶するＲＯＭ６１、処理途中のデータを一時的に記憶するＲＡＭ６２、各種の指示を行うためのテンキーやマウス等で構成される操作部６３、及び記憶部６４を備えている。記憶部６４は、人体筋骨格モデルの情報（図５（ａ）参照）、運動診断のための各演算式その他のデータを記憶する。なお、人体筋骨格モデルの各部位の長さ等はモーションキャプチャによって算出可能である。また、人体筋骨格モデルの情報、各演算式は、ＲＯＭ６１又はＲＡＭ６２内に格納される態様でもよい。
【００４５】
筋電位検出部４０は、片足につき８個の電極４０１に生じる電気信号を検出する筋電位検出回路４１と、検出された電気信号に対して所定の前処理を施す前処理回路４２とを備える。体表で得られる筋電位信号は、レベルが数十μＶ〜数百μＶ、周波数が５Hz〜５００Hz程度の交流信号である。そこで、前処理回路４２は、筋電位を処理可能なレベル（数千倍）まで増幅するアンプ、筋電位の主要周波数帯の信号のみを通過させるバンドパスフィルタ、及び全波整流回路を備えている。また、前処理回路４２は、筋電位信号をデジタルで処理するべく、出力側にＡＤ変換部を備えている。
【００４６】
動き検出部３０は、各マーカ３０１を検出する各カメラ３１と、カメラ３１からの撮像信号から輝点を検出する前処理回路３２とを備え、検出された輝点の位置座標情報を計測する等の所定の前処理を施す。なお、動き検出部３０は、光学的な位置測定の他、磁気発生器と磁気センサとから構成される３次元上の位置と向きが検出可能な公知の測定器を採用してもよい。
【００４７】
モニタ７１１〜７３１には、表示処理部６０５で作成された画像が表示される。表示処理部６０５は、操作部６３からの入力情報の確認や処理結果、Kinectセンサ７１による撮影映像等及び制御部６０で処理された運動診断情報をモニタ７１１に出力し、また、撮像部７２，７３で撮像した映像をモニタ７２１，７３１に出力する。なお、必要に応じて各情報を個別のモニタに表示する態様としてもよい。
【００４８】
制御部６０は、対象者の運動診断を行うもので、ＲＯＭ６１からＲＡＭ６２に読み出した処理プログラムを実行することによって、電極４０１から測定結果を周期的に取り込む筋電位測定処理部６０１と、マーカ３０１からの測定結果を周期的に取り込む位置測定処理部６０２と、筋シナジー算出部６０３と、平衡点・剛性算出部６０４と、前記した表示処理部６０５として機能する。
【００４９】
本発明にかかる運動診断は、ヒトの身体運動は複数の筋の協調作用（筋シナジー）により生成されるものであり、また、ヒトの身体運動は関節の平衡点、剛性に関する命令により制御されると考えることに基づいている。
【００５０】
筋電位測定処理部６０１は、前処理回路４２で得られた各拮抗筋対のＥＭＧ（筋電位）を最大随意収縮時のＥＭＧで正規化したＥＭＧである％ＭＶＣとして求める。筋電位は、概念として、筋協調の最小単位と考える拮抗する筋同士の活動の比（筋拮抗比ｒ）と、拮抗する筋同士の活動の和（筋拮抗和ｓ）とを導入している。
【００５１】
筋拮抗比ｒは、主導筋の％ＭＶＣ／（主導筋の％ＭＶＣ＋拮抗筋の％ＭＶＣ）で表され、筋拮抗和ｓは、主導筋の％ＭＶＣ＋拮抗筋の％ＭＶＣで表される。図５（ａ）に示すように、筋拮抗は、腰から足関節に向けて、股（ｈ）、膝（ｋ）、足関節（ａ）周りの拮抗筋対（４対８筋）があり、筋拮抗比（ｒｈ，ｒｈｋ，ｒｋ，ｒａ）および筋拮抗和（ｓｈ，ｓｈｋ，ｓｋ，ｓａ）は、各筋電位から算出される。式（１）は、足関節の並進運動のための説明変数である筋拮抗比、筋拮抗和を示す。
【００５２】
【数１】
2018139975.tif 000003
【００５３】
また、足関節の回転運動のための説明変数である筋拮抗比、筋拮抗和を式（２）に示す。
【００５４】
【数２】
2018139975.tif 000004
【００５５】
これらの説明変数を用いた筋シナジーベクトルの算出方法は、足先平衡点を動径方向に調節するシナジーｕＲ、足先平衡点を偏角方向に調整するシナジーｕΦ、及び足先剛性を調整するシナジーｕＲ×Φを用いる。各シナジーｕＲ、ｕΦ、ｕＲ×Φの算出式を、式（３）に示す。
【００５６】
【数３】
2018139975.tif 000005
【００５７】
なお、式（３）中のｑｈ(ｓｔｒａｎｓ)、およびｑk(ｓｔｒａｎｓ)は、式（４）で表される。
【００５８】
さらに、式（５）で、筋シナジー活動係数ΔｗＲ(ｒｔｒａｎｓ, ｓｔｒａｎｓ)、およびΔｗΦ(ｒｔｒａｎｓ,ｓｔｒａｎｓ)が得られる。得られた筋シナジー活動係数ΔｗＲ(ｒｔｒａｎｓ, ｓｔｒａｎｓ)、およびΔｗΦ(ｒｔｒａｎｓ,ｓｔｒａｎｓ)に、ゲインｋＲ,ｔｒａｎｓ、ｋΦ,ｔｒａｎｓを乗算することで、式（６）に示すように、足関節の並進運動に関する平衡点位置の変化量ΔＲＥＰ(ｒｔｒａｎｓ, ｓｔｒａｎｓ)、およびΔΦＥＰ(ｒｔｒａｎｓ, ｓｔｒａｎｓ)を求めた。
【００５９】
【数４】
2018139975.tif 000006
【００６０】
また、足関節の並進運動に対する剛性行列Ｋｘ(ｓｔｒａｎｓ)を、式（７）に示すように、ｓｔｒａｎｓとヤコビ行列Ｊ(θ)およびゲインｋｓ，ｔｒａｎｓとを用いて算出する。
【００６１】
【数５】
2018139975.tif 000007
【００６２】
さらに、足関節の回転運動に関する推定（解析）が実行される。すなわち、足関節周りの拮抗筋対の筋拮抗比ｒｒｏｔ（＝ｒａ）より、足関節の平衡角度の変位が、式（８）のように算出される。また、足関節周りの拮抗筋対の筋拮抗和ｓｒｏｔ（＝ｓａ）より、足関節の回転剛性が、式（９）のように算出される。
【００６３】
【数６】
2018139975.tif 000008
【００６４】
算出された特徴量である筋シナジー、平衡点及び剛性（剛性楕円、回転剛性）の各情報は、モニタ７１１あるいは他のモニタに表示される。図８は、その表示例を示し、（ａ）は筋シナジーを、（ｂ）は剛性楕円９１と平衡点９２を、（ｃ）は足関節の回転剛性９３を示している。歩行訓練の解析内容をリアルタイムで視認、確認することができ、回復訓練が効果的に行われる。
【００６５】
図７は、運動診断処理の手順を示すフローチャートである。対象者がサドル１３に跨った状態でベルト２３が周回動作を開始して、本フローが開始される。まず、動き検出部３０及び筋電位検出部４０からマーカ３０１の位置信号、電極４０１の筋電位信号が取り込まれ（ステップＳ１１）、これらの信号から運動位置等の測定処理、筋電位の測定処理が実行される（ステップＳ１３）。
【００６６】
このようにして各測定点からの検出信号が取り込まれると、式（３）により筋シナジーベクトルが算出され（ステップＳ１５）、さらに、式（６）、式（７）により足関節の並進運動に関する平衡点、剛性楕円、及び式（８）、式（９）により足関節の回転運動に関する平衡点、剛性が算出される（ステップＳ１７）。これら算出された特徴量は、表示処理部６０５に出力されて（ステップＳ１９）、モニタ７１１に表示される。そして、訓練が終了したか否かが判断され（ステップＳ２１）、終了するまでは、ステップＳ１１に戻って、処理が繰り返される。
【００６７】
次に、効果確認のための実験１、実験２、およびそれらの結果について説明する。
【００６８】
＜実験１＞
（１−１） 設備（体重免荷トレッドミル）
体重免荷装置として、（Ａ）天井に据え付けた空気圧シリンダーとハーネスにより対象の上体を持ち上げる、比較例としての「吊り上げ型体重免荷装置」（ニューアシスト，インターリハ株式会社，日本）と、（Ｂ）図１〜図３に示す、カウンターウェイトとシーソー型機構によって対象の股下部に作用する「サドル支持型体重免荷装置」の２種類を使用した。また、トレッドミルは、床反力計を内蔵したスプリットベルトトレッドミル（ITR5018，Bertec Corp., USA）を用いた。これらの体重免荷装置とスプリットベルトトレッドミルを組み合わせることで、体重による重力の影響を軽減しながら、対象者のエンドエフェクタ（足部）へ介入し、「バランス制御」と「股関節伸展」を安全に支援訓練するようにした。さらに、対象の前方に、Kinectセンサ７１（Kinect for Windows v2，Microsoft Corp., USA）と、モニタ７１１としての大型ディスプレイ（REGZA 65J7，東芝, 日本）を配備し、歩行中の左右バランスに関する運動学情報の提示を行った（図１（ａ）参照）。
【００６９】
（１−２）設備（機能的電気刺激）
もう一つの介入として、エンドエフェクタ（足）に隣接する足関節へ作用する機能的電気刺激を採用した。電気刺激部５０として、STG4008（Multi Channel Systems, Inc., Germany）を使用した。ここでは、「足関節によるPush-off」を支援／訓練することを目的に、対象の随意的なキュー（スイッチ５２の押下）に基づき、足関節底屈筋群を電気刺激した。刺激は、周波数６０[Hz]のパルス搬送波を０．３５秒間、かつそれぞれ一対の電極で腓腹筋の外側頭へ７[mA]、内側頭へ８[mA]とした。
【００７０】
（１−３）実験手順
被験者（対象者）は、健常成人女性１名（１５７[cm]、４５．９[kg]）とした。実験は、大阪大学基礎工学研究科倫理委員会に承認された手続きに則り行われた。（Ａ）吊り上げ型および（Ｂ）サドル支持型の体重免荷装置により、対象者の体重を中程度免荷し、対象者が自然と感じる速度（２．５[km/h]）でそれぞれ１３０秒間、体重免荷歩行を行った。各試行において、前半は体重免荷のみ、後半は体重免荷に加えて機能的電気刺激を行った。
【００７１】
これらの条件の異なる４種類の免荷歩行として、（ａ）吊り上げ型体重免荷、（ｂ）吊り上げ型体重免荷＋機能的電気刺激、（ｃ）サドル支持型体重免荷、（ｄ）サドル支持型体重免荷＋機能的電気刺激を行い、それぞれ下肢の運動学をモーションキャプチャシステム（Optitrack，Natural Point, Inc., USA）により、また、床反力をトレッドミルシステム（ITR5018，Bertec Corp., USA）により計測した。なお、実験前に予め練習期間を設け、対象が各環境に十分に慣れてから運動計測を行った。
【００７２】
（１−４）結果・考察
図９，図１０は、（Ａ）吊り上げ型と、（Ｂ）サドル支持型の２種類の体重免荷方式の違いがトレッドミル歩行に与える影響と、 それぞれの体重免荷下における機能的電気刺激による足関節Push-offの支援効果を示している。図９（ｃ）のサドル支持型体重免荷歩行では、図９（ａ）の吊り上げ型体重免荷歩行に比べて大きな歩幅が実現されている。機能的電気刺激を加えた場合も、サドル支持型体重免荷歩行ではその利点を消失することなく効果的な運動支援が確認された（図９（ｂ）,（ｄ））。
【００７３】
また、２つの免荷方式の違いは、床反力に顕著に観察された（図１０（ａ）,（ｂ））。すなわち、図１０（ｂ）に示すようにサドル支持型体重免荷歩行の垂直踏力が自然歩行と同様な二峰性の波形を示すのに対し、図１０（ａ）の吊り上げ型体重免荷歩行では立脚終期においても高い垂直踏力を示し、不自然な歩行となっている。機能的電気刺激によってこの違いはさらに著しくなっており、吊り上げ型支援では正しく運動を支援できていないことが分かる。サドル支持型支援では、体重免荷のみでも自然な踏力パターンを実現できるが、機能的電気刺激によってその踏力パターンを維持しながら、Push-offの踏力を増大し、自然に近い形で運動支援できることが分かった。
【００７４】
＜実験２＞
続いて、歩行リハビリテーションへの有効な介入を探索することを目的に、サドル支持型体重免荷装置と機能的電気刺激(functional electrical stimulation: FES)とを組み合わせた、エンドエフェクタ型歩行訓練装置の特徴を検証する。これは神経筋疾患患者の随意運動制御の再建を目的とした、タスク指向のアプローチである。吊り上げ型体重免荷歩行とサドル支持型体重免荷歩行の違いを、快適歩行速度、運動学や床反力、ＦＥＳの効果で評価する。
【００７５】
（２−１）被験者
被験者（対象者）は、３名の健常者（男性１名、女性２名、２４歳）とした。実験は大阪大学基礎工学研究科倫理委員会に承認された手続きに則り行われた。また、被験者Ａ，Ｂ，Ｃには、あらかじめ実験の趣旨、内容について十分な説明を行い、本人から実験参加の同意を得た。
【００７６】
（２−２）装置
（２−２−１）体重免荷トレッドミル
被験者の体重を免荷する装置として、＜実験１＞と同様、据え付けた空気圧シリンダーとハーネスにより対象の上体を持ち上げる「吊り上げ型体重免荷装置」（ニューアシスト，インターリハ株式会社, 日本）と、シーソー型機構によって対象の股下部に作用する「サドル支持型体重免荷装置」（図１〜図３参照）との２種類を使用して、介入を行った。いずれの体重免荷システムも、床反力計を内蔵したスプリットベルトトレッドミル(ITR5018，Bertec Corp., USA)を含む。以下、吊り上げ型体重免荷装置をハーネス支持型体重免荷装置と呼ぶ。
【００７７】
（２−２−２）電気刺激装置（ＦＥＳ）
もう一つの介入として、エンドエフェクタに隣接する足関節へ作用する機能的電気刺激を採用した。刺激システムは、＜実験１＞の場合と同様の電気刺激装置を使用した。腓腹筋外側頭、内側頭いずれも被験者Ａ，Ｂは、１６[mA]、被験者Ｃは、１２[mA]の強度、周波数２００[Hz]のパルス搬送波で、０．１５秒間の刺激を行った。
【００７８】
（２−２−３）実験手順
被験者は、図１１に示す実験条件下で、１１０秒間の歩行を行った。この中でＦＥＳは、５０秒経過してから適用した。各試行で最初の５０秒間（免荷の有無による歩行）と、最後の５０秒間（ＦＥＳ介入下における免荷の有無による歩行）を解析対象とした。下肢の運動学（左右の股、膝、脚、爪先）は全て、１１台のカメラを含むモーションキャプチャシステム（OptiTrack, NaturalPoint,Inc., USA）を用いて、１００[Hz]で計測した。床反力は、スプリットベルトトレッドミルに搭載されている床反力計で、１０００[Hz]で計測し、１００[Hz]までダウンサンプリングした。運動学および床反力は、それぞれ訓練システムの評価の指標として採用した。運動学は、介入を受けた被験者が自然な姿勢で歩けるか否か、床反力は、３つの歩行機能（バランス制御、股関節伸展、足関節Push-off）に必要な床面との相互作用を、体重免荷装置やトレッドミル、ＦＥＳがどのように支援しているかを示す。被験者の随意歩行実験の間、運動学、床反力およびＦＥＳの刺激タイミングは同期して記録され、記録データは平滑化されてから、歩行の一周期で正規化された。ＦＥＳ制御側の足の最初の接地を０％、その次の接地を１００％（１歩行）としている。実験の前には予め歩行の練習期間を設け、被験者が各環境に十分に慣れてから運動計測を行った。
【００７９】
（２−３）実験結果
（２−３−１）快適歩行速度
図１２に、ハーネス支持型体重免荷装置とサドル支持型体重免荷装置の免荷量に応じた、快適と感じる歩行速度の変化を示す。これらの主観的な好みのデータは、被験者に対するアンケート調査への回答から得られた。
【００８０】
（２−３−２）免荷方式による体重免荷歩行の変化
図１３は、被験者Ａがハーネス支持型およびサドル支持型体重免荷システムを中程度の体重免荷（３３％ ＢＷＳ）で歩行した際の股、膝、足関節の関節角度を示し、図１４は、同条件での、床反力の垂直成分、前後剪断成分および左右剪断成分を示す。これらの運動データは、非体重免荷（non-BWS）歩行においても同速度で測定した。
【００８１】
（２−３−３）歩行速度による非体重免荷歩行の変化
図１５は、被験者Ａが免荷装置を用いない非体重免荷歩行を、様々な速度(１．５、２．５、３．０、３．５、４．０、および４．５[km/h])で行った際の床反力の３成分を示す。ここで、非体重免荷歩行は、その快適歩行速度（４．０[km/h]）において、立脚中期（歩行相１０〜３０％）と立脚終期（歩行相３０〜５０％）とで２つの顕著なピークが見られる。最初のピークは主に股関節の伸展に、２つ目のピークは股関節伸展と足関節のPush-offによるものである。
【００８２】
図１６、図１７は、被験者Ａが中程度の体重免荷(３３％ ＢＷＳ)において、様々な速度(１．５、２．５、３．０、３．５、および４．５[km/h])でサドル支持型体重免荷歩行を行った際の、各関節の角度変化と床反力の３成分を示す。なお、３３％ ＢＷＳの下で快適な歩行速度３．５[km/h]における非体重免荷歩行のデータを含む。
【００８３】
（２−３−４）免荷量による体重免荷歩行の変化
図１８、図１９は，被験者Ａがサドル支持型体重免荷歩行を行った際の各関節の角度変化と床反力の３成分を示す。パラメータは、歩行速度３．５[km/h]（３３％ ＢＷＳの下で快適な歩行速度）における免荷量とした。
【００８４】
（２−３−５）ＦＥＳの有無による体重免荷歩行の変化
図２０は、被験者Ａ(３．５[km/h], ３３％ ＢＷＳ)、被験者Ｂ(２．５[km/h],４０％ ＢＷＳ)、被験者Ｃ(４．５[km/h], ４０％ ＢＷＳ)がそれぞれ各条件での快適歩行速度において、ハーネス支持型体重免荷歩行およびサドル支持型体重免荷歩行を行った際の床反力の３成分、およびそのＦＥＳの有無による違いを示す。
【００８５】
（２−４）考察
（２−４−１）部分体重免荷とトレッドミルの介入
被験者３名のアンケートの回答より、図１２に示すように、体重免荷量が増加するにつれ快適歩行速度が減少するという一貫した傾向が存在することが分かった。この傾向はハーネス支持型、およびサドル支持型の両者の体重免荷方式で確認された。このデータを踏まえ、歩行速度や免荷量による運動学と床反力の変化について考察する。
【００８６】
（２−４―２）運動学の特徴
図１３は、異なる免荷方式による歩行（ハーネス支持型体重免荷歩行、サドル支持型体重免荷歩行、および非体重免荷歩行）の各関節角度を示す。免荷量は３３％ＢＷＳ（中程度の体重免荷）、歩行速度は３．５[km/h]（この免荷量での快適歩行速度）にそれぞれ固定した。ハーネス支持型およびサドル支持型の２種類の体重免荷方式間で各関節角度に顕著な違いは見られなかった(ｒ＞０．９３, ｐ＜０．０５)。ただし、これらの体重免荷歩行では非体重免荷歩行に比べ股関節角度の可動域が減少する傾向にあった。
【００８７】
図１６は、異なる歩行速度でのサドル支持型体重免荷歩行における各関節角度を示す。免荷量は３３％ ＢＷＳ（中程度の体重免荷）に固定した。快適歩行速度(３．５[km/h])や、それより少し遅い速度(２．５、３．０[km/h])での体重免荷歩行における関節角度は、同歩行速度３．５[km/h]の非体重免荷歩行における関節角度に概ね一致している(ｒ＞０．９３, ｐ＜０．０５)。しかしながら、最も遅い速度や速い速度での体重免荷歩行における関節角度は、非体重免荷歩行のものと異なる傾向にある(ｒ＞０．５２, ｐ＜０．０５)。
【００８８】
図１８は、４段階の免荷量におけるサドル支持型体重免荷歩行を示す。歩行速度は、中程度の体重免荷（３３％ ＢＷＳ）における快適歩行速度（３．５[km/h]）に固定した。非体重免荷歩行における足関節角度（破線）は、初期角度から徐々に約１０[deg]まで底屈し、その後、約２０[deg]まで背屈している。しかしながら、５０％ＢＷＳの体重免荷歩行における関節角度については、足関節角度の変化が小さく（歩行周期の２３〜５３％で、±１．７[deg]）、非体重免荷歩行との相関は小さい（ｒ＝０．８３, ｐ＜０．０５）。すなわち、体重免荷量が大きすぎると、足関節のpush-offがほとんど機能しない歩行となり、リハビリテーションにとっては不都合となる。これらより、被験者Ａにおいては、サドル支持型体重免荷によって、およそ快適歩行速度より、１．０[km/h]遅い速度から快適歩行速度までの範囲の速度で、また約３３％ ＢＷＳまでの体重免荷量で、自然な姿勢を保ったまま歩行の支援が行えることが分かった。
【００８９】
（２−４―３）床反力の特徴
臨床の歩行訓練においては、多くの患者は自分の脚で身体を支えることが困難なため、体重免荷装置は必要である。このため効果的な体重免荷歩行を考えなければならない。前述の通り、体重免荷量が増えると、快適歩行速度は減少する。このため、低速の歩行への免荷の有無に着目した。図１５（ａ）より、低速(２．５[km/h])での非体重免荷歩行時における床反力の垂直成分には、二峰性が見られない。一方、図１７（ａ）より、低速(２．５[km/h])、中程度の体重免荷(３３％ ＢＷＳ)におけるサドル支持型体重免荷歩行における床反力の垂直成分には顕著な二峰性が観察される。つまりサドル支持型体重免荷歩行では、快適歩行速度だけでなく、より低速であっても床反力の垂直成分に２つのピークを示すことが認められた。ただし、この特徴（低速、中程度の体重免荷（２．５[km/h]、３３％ＢＷＳ）におけるサドル支持型体重免荷歩行時の床反力の垂直成分に二峰性が観察される）が支援に効果的なのか否かは、現在のところ必ずしも明らかではないものの、脳卒中患者はゆっくりと歩くことを想定すると、これは歩行訓練に適していると考えられる。
【００９０】
図１４（ｃ）より、ハーネス支持型体重免荷歩行と比べ、サドル支持型体重免荷歩行における床反力の左右剪断成分も、非体重免荷歩行におけるそれに似た２つのピークを示している。図１４（ｂ）より、床反力の前後剪断成分はハーネス支持型体重免荷歩行、サドル支持型体重免荷歩行、非体重免荷歩行、それぞれの違いが顕著に示された。床反力の前後剪断成分によって、一周期（１歩行）の間に、（体重及び歩行周期で正規化された）力積は、ハーネス支持型体重免荷歩行で ＋４６．７[-]、サドル支持型体重免荷歩行で−２０７．３[-]であるのに対し、非体重免荷歩行では −２６．２[-]であった。この違いの要因は、被験者と接触する部分であるハーネスやサドルが、それぞれ正・負の方向に運動量を与えることによると考えられる。よって、ハーネス支持型体重免荷歩行とサドル支持型体重免荷歩行とは、明らかに異なる作用であると考えられる。かかる結果は、被験者Ｂ、被験者Ｃにも似た傾向が見られた。
【００９１】
（２−４―４）ＦＥＳによる介入
図２０より、非体重免荷歩行においては被験者Ａ，Ｂ，ＣいずれもＦＥＳの有無による顕著な床反力の変化は見られない(ｒ＞０．９７, ｐ＜０．０５)。これは足関節周りの筋が電気刺激されて発揮する踏力が、被験者の（免荷のない）全体重を支えるには不十分であるからである。被験者Ｃは、サドル支持型体重免荷歩行時（図２０（ａ）、Subject Cの特性線（６））、ＦＥＳによって床反力の垂直成分が３．０[%BW]増加し、ハーネス支持型体重免荷歩行時（同図の特性線（５））にはＦＥＳによって前遊脚期に、床反力の垂直成分が２．８[%BW]増加した。この踏力の増加量が患者の歩行を援助するのに十分か否かは、症状の重度によるものの、刺激電流の振幅、周波数、刺激時間を適切に調整すれば、生成される踏力はより大きくなりうると考えられる（C. L. Lynch, and M. R. Popovic,“Functional electrical stimulation: closed-loop control of induced musclecontractions,” IEEE Control System Magazine, vol. 28, no. 2, pp. 40-50, 2008.）。
【００９２】
被験者ＡがＦＥＳを用いてサドル支持型体重免荷歩行を行うと、床反力の垂直成分（図２０（ａ）、Subject Ａの特性線（６））は前遊脚期に、ＦＥＳによって５．０[%BW]増加したことが認められる。被験者ＢがＦＥＳを用いてサドル支持型体重免荷歩行を行うと、床反力の前後剪断成分（図２０（ｂ）、Subject Ｂの特性線（６））は遊脚初期に、ＦＥＳによって５．０[%BW]増加したことが認められる。
【００９３】
なお、本実施形態では、ベルト２３の周回によって歩行面が移動する構成としたが、体重免荷部１０が床面に対して相対的に移動する態様でもよく、また往復移動し、その前方移動の間、歩行訓練する構成としてもよい。
【００９４】
また、本実施形態に係る技術の特徴は、随意運動中の下肢の筋電位信号から筋協調性を抽出し、運動実現に向けて中枢神経系が選択する運動戦略（符号化された高次変数の操作）をリアルタイムに可視化できる点にある。中枢神経系の運動指令を反映する筋電位信号から身体下肢の筋シナジー、インピーダンス（剛性）及び平衡点に関する特徴量情報を抽出し、身体下肢の筋協調を可視化する技術に、さらに、脳卒中患者などの下肢運動回復における中枢神経系の可塑性を解析しながら、理想となる身体協調の再獲得へ向けてロボット訓練を実施する。こうした研究は国内外に類がなく、中枢神経系の機能回復機序の本質に迫る高い学術性と臨床エビデンスに基づく実用性の両側面を兼ね備えている。本技術は、下肢のロボット療法の現状を大きく変える可能性がある。
【符号の説明】
【００９５】
１  歩行訓練装置
１０  体重免荷部
１２  アーム
１３  サドル
１４  錘係合部
１６  錘
２０  トレッドミル（床部）
２３  ベルト（無端ベルト）
２５  荷重検出部
３０  動き検出部（運動検出部）
４０  筋電位検出部（筋電位検出部）
５０  電気刺激部
５０１，５０２  電極
５１  刺激信号生成部
５２  スイッチ（指示部）
６０  制御部（演算部）
６０３  筋シナジー算出部（演算手段）
６０４  平衡点・剛性算出部
７０  運動観察部（位置検出部）
８０  訓練処理部
８２  プロジェクタ（映像投影部）
８４  応答性判定部（訓練評価部）
【図１】
2018139975.tif 000009
【図２】
2018139975.tif 000010
【図３】
2018139975.tif 000011
【図４】
2018139975.tif 000012
【図５】
2018139975.tif 000013
【図６】
2018139975.tif 000014
【図７】
2018139975.tif 000015
【図８】
2018139975.tif 000016
【図９】
2018139975.tif 000017
【図１０】
2018139975.tif 000018
【図１１】
2018139975.tif 000019
【図１２】
2018139975.tif 000020
【図１３】
2018139975.tif 000021
【図１４】
2018139975.tif 000022
【図１５】
2018139975.tif 000023
【図１６】
2018139975.tif 000024
【図１７】
2018139975.tif 000025
【図１８】
2018139975.tif 000026
【図１９】
2018139975.tif 000027
【図２０】
2018139975.tif 000028